(57)【要約】【課題】各ユーザグループにおける待ち時間を可能な限り最小限に抑えるように区域に関連付けられたユーザグループの分離をもって区域制御を行なうことができる、エレベータ装置の制御。【解決手段】本発明は、建物等内に幾つかのエレベータケージを有するエレベータ装置の制御方法であって、建物の階が幾つかの区域（Ｚ１、Ｚ２、Ｚ３）に分割され、移動命令がエレベータケージに割り当てられる方法に関する。ユーザグループに対して不利益なく有効な区域制御を行なって分離するため、区域の１つからの或は１つへの移動命令が割り当てられたケージに対しては、区域の他の１つからの或は１つへの移動命令の割り当てが存在しない。新たな移動命令の後の呼び出し（ｎＲＺ２、ＮＲＺ２）の場合、フリーのケージ（ｆｒ）の数は、未だ割り当てられていない或は未だ扱われていない区域の数と比較され、比較結果に基づいて、新たな呼び出しの割り当てが行なわれる。【選択図】      図９
2004277178.tif 000002
【特許請求の範囲】
【請求項１】
建物内に幾つかのエレベータケージ（Ａ−Ｆ）を有するエレベータ装置を制御するための方法であって、建物の階が幾つかの区域（Ｚ１、Ｚ２、Ｚ３）に分割され、区域の移動命令がエレベータケージに割り当てられる方法であって、エレベータケージが１つの区域における移動命令を実行する間には、他の区域における移動命令がこのエレベータケージに対して割り当てられず、１つの移動命令のための１つの呼び出し（ｎＲＺ２、ＮＲＺ２）により、フリーのエレベータケージ（ｆｒ）の数が、まだ割り当てられていない或はまだ扱われていない区域の数と比較され、呼び出しを形成する移動命令は、比較結果に基づいて１つのエレベータケージに対して割り当てられることを特徴とする、方法。
【請求項２】
少なくとも１つのエレベータケージ（Ａ−Ｆ）によって既に扱われた１つの区域（Ｚ２）に対して割り当てられる新たな呼び出し（ｎＲＺ２、ＮＲＺ２）は、フリーのエレベータケージ（ｆｒ）の数がその時に前記エレベータ装置によって扱われていない区域（Ｚ３）の数以上である場合にのみ、フリーのエレベータケージ（ｆｒ）に対して割り当てられることを特徴とする、請求項１に記載の方法。
【請求項３】
フリーのエレベータケージ（ｆｒ）の数が前記エレベータ装置によって扱われていない区域（Ｚ３）の数よりも少ない場合、新たな呼び出しは、同じ区域で既に移動するエレベータケージに対して割り当てられることを特徴とする、請求項２に記載の方法。
【請求項４】
ａ）少なくとも１つの階が、前記エレベータ装置の全てのエレベータケージによっては扱うことができず、
ｂ）前記区域が、全てのエレベータケージ（Ａ−Ｆ）によっては扱うことができない少なくとも１つの階がそれに属するという事実によって定義される少なくとも１つのお気に入り区域（Ｚ１、Ｚ２）を含む、場合に、
新たな呼び出しの割り当ては、それがお気に入り区域に割り当てられるか否かに基づいて行なわれることを特徴とする、請求項１から３のいずれか一項に記載の方法。
【請求項５】
前記状態ａ）および前記状態ｂ）に加えて、
ｃ）前記エレベータ装置が、少なくとも１つのお気に入り区域（Ｚ２、Ｚ３）の全ての階を扱うことができるという事実によって定義される少なくとも１つのお気に入りケージ（Ｅ、Ｆ）を有する、
という状態が満たされる場合、
お気に入り区域に対して割り当てられる呼び出しが生じると、フリーのお気に入りケージ（Ｅ、Ｆ）の数が、未だ割り当てられていないお気に入り区域の数または前記エレベータ装置によって未だ扱われていないお気に入り区域の数と比較され、この比較結果に基づいて前記呼び出しの割り当てが行なわれ、および／または、お気に入り区域に対して割り当てられない呼び出しが生じると、フリーのお気に入りでないケージ（Ａ−Ｄ）の数が、未だ割り当てられていないお気に入りでない区域（Ｚ１）の数または前記エレベータ装置によって未だ扱われていないお気に入りでない区域（Ｚ１）の数と比較され、この比較結果に基づいて前記呼び出しの割り当てが行なわれることを特徴とする、請求項４に記載の方法。
【請求項６】
お気に入り区域に対して割り当てられる新たな呼び出し（ｎＲＺ２、ＮＲＺ２）は、フリーのお気に入りケージの数がその時に前記エレベータ装置によって扱われていないお気に入り区域（Ｚ２、Ｚ３）の数以上である場合にのみ、フリーのお気に入りケージ（Ｅ、Ｆ）に対して割り当てられ、および／または、お気に入り区域に対して割り当てられていない新たな呼び出しは、フリーのお気に入りでないケージの数が現在前記エレベータ装置によって扱われていないお気に入りでない区域（Ｚ１）の数以上である場合にのみ、フリーのお気に入りでないケージ（Ａ−Ｄ）に対して割り当てられることを特徴とする、請求項５に記載の方法。
【請求項７】
フリーのエレベータケージ（ｆｒ）の数が現在前記エレベータ装置によって扱われていない区域よりも少なく且つ１つの区域（Ｚ３）が２つ以上のエレベータケージによって扱われている場合、同じ区域（Ｚ３）を扱うこれらのエレベータケージのうちの１つ（Ｄ）は、それがフリーとなり従って扱われていない区域のうちの１つに対して割り当てがアクセス可能となるまで、更なる割り当てに対してブロックされることを特徴とする、請求項１から６のいずれか一項に記載の方法。
【請求項８】
区域（Ｚ１、Ｚ２、Ｚ３）の総数がエレベータケージ（Ａ−Ｆ）の数以下であるエレベータ装置の場合、エレベータケージのうちの他の１つと同じ区域を扱うエレベータケージのうちの１つは、扱われていない区域毎に、新たな割り当てに対してブロックされることを特徴とする、請求項７に記載の方法。
【請求項９】
幾つかの区域（Ｚ１、Ｚ２、Ｚ３）への階の分割は、階に対する乗客のアクセス認可に基づいているか、或はアクセス認可によって行なわれることを特徴とする、請求項１から８のいずれか一項に記載の方法。
【請求項１０】
請求項１から９のいずれか一項に記載の制御方法によってエレベータ装置を制御するための、制御装置。
【発明の詳細な説明】
【技術分野】
【０００１】
本発明は、建物等内に幾つかのエレベータケージを有するエレベータ装置を制御するための方法および装置であって、建物の階が幾つかの区域に分割され、幾つかの移動命令がエレベータケージに割り当てられる方法および装置に関する。
【背景技術】
【０００２】
区域分け動作ができるエレベータ装置は、欧州特許第０６２４５４０号明細書から知られるようになってきている。このエレベータ装置の場合には、３つのエレベータから成るエレベータ装置により、区域呼び出しの迅速な割り当てを用いて、少なくとも１つのメイン停止地点と高い建物の区域との間で、人の交通が管理される。建物を満たす各エレベータのユーザは、センサがエレベータのユーザを登録する区域に関連付けられた入口を通る。エレベータのユーザは、対応する入口を選択することにより、エレベータ制御装置の呼び出し登録装置を手動で作動させることなく、自分の望む区域を知らせる。エレベータケージは、特定の固定的に対応付けられた区域で移動する。区域分割は、高い建物を特に迅速に満たすことができるようにするという目的を果す。その目的のため、これらのエレベータによって扱われない階を通り過ぎる急行エレベータが存在する。
【０００３】
同じ原理に基づいて、区域分割は、米国特許第５５１１６３４号明細書から知られるようになってきたエレベータ装置の場合にも行なわれる。その場合、新たな区域への新たな呼び出しは、フリーの各エレベータケージのうち、この呼び出しを最も迅速に扱うことができるケージに対して割り当てられる。
【０００４】
【特許文献１】欧州特許第０６２４５４０号明細書
【特許文献２】米国特許第５５１１６３４号明細書
【特許文献３】欧州特許第０３０１１７８号明細書
【発明の開示】
【発明が解決しようとする課題】
【０００５】
本発明の目的は、各ユーザグループにおける待ち時間を可能な限り最小限に抑えるように区域に関連付けられたユーザグループの分離をもって区域制御を行なうことができる請求項１の前提部分で述べられた種類のエレベータ装置を制御するための方法および装置を構成することである。
【課題を解決するための手段】
【０００６】
この目的は、添付の請求項１の複数のステップを有する方法によって満たされる。
【０００７】
本発明の有利な改良点は、従属請求項の対象である。
【０００８】
本発明に係る制御方法の場合、限られたアクセス認可を用いて、区域が各ユーザグループに対して割り当てられることが好ましい。前述したエレベータ装置及びその制御装置とは異なり、本発明に係る方法の場合、区域作業は、ユーザグループを互いに厳格に分離するため、セキュリティの目的に役立つ。１つの区域に対して割り当てられた１つの移動命令を伴うエレベータがビジー状態である場合、このエレベータに対しては、同じ区域からのみ、更なる移動命令を割り当てることができる。エレベータケージは、それに対して割り当てられた全ての移動命令を終了してフリーになった時にのみ、他の区域に対して割り当てることができる。しかしながら、本発明においては、新たな移動命令に係る呼び出しが割り当てられる前に、最初に、フリーのエレベータケージの数が、未だ割り当てられていない区域すなわち現在扱われていない区域の数と比較される。これにより、全ての区域のために十分なフリーのエレベータケージがまだ存在するか否かが判断される。その後、これが考慮に入れられ、新たな呼び出しが割り当てられる場所が決定される。
【０００９】
好ましい実施形態において、エレベータ装置によって既に扱われた区域に対して割り当てられる呼び出しは、扱われていない各区域毎にフリーのエレベータが残っている場合にのみ、フリーのエレベータケージに対して割り当てられる。これにより、呼び出しは、対応するユーザグループの各区域に対して分配されるため、少なくとも１つのエレベータは、常に、各グループに利用可能となる。
【００１０】
特に好ましい実施形態は、異なるエレベータレイアウトにおけるそのアクセス認可に基づいてユーザグループを物理的に分離する場合に生じる問題を解決する。したがって、サブグループのエレベータによってのみ幾つかの階を扱うことができるエレベータ装置が存在し得る。ここで、特定のユーザグループが限られた方法でのみ扱われ得るこれらの階に対して割り当てられる場合、あるいは割り当てられるべき場合、移動の行先に応じて、これらのユーザグループまたは他のユーザグループの待ち時間は、実質的にある程度長くなる可能性があり、あるいは、他のユーザグループの人をもはや割り当てることができなくなる。
【００１１】
好ましい実施形態において、これは、新たな呼び出しの場合に、限られた方法でのみ扱われ得る少なくとも１つの階を含む区域に対して前記新たな呼び出しが割り当てられるか否かが判断されることにより、解決できる。そのような区域は、ここでは、「お気に入り区域（ｆａｖｏｕｒｉｔｅ  ｚｏｎｅ）」と称される。そのようなお気に入り区域に対して割り当てられた呼び出しは、ここでは、「お気に入り呼び出し（ｆａｖｏｕｒｉｔｅ  ｃａｌｌ）」と称される。呼び出しが割り当てられる方法を決定するため、最初に、その呼び出しが、お気に入り呼び出しであるか、あるいは、お気に入り呼び出しではないか、すなわち、お気に入りでない呼び出しであるか否かを判断することが好ましい。その後、割り当ては、この判断に基づいて行なわれる。
【００１２】
更なる好ましい実施形態において、そのようなお気に入り呼び出しは、お気に入り区域の全ての階を扱うことができるエレベータケージに対して優先的に割り当てられる。そのようなエレベータケージは、ここでは、「お気に入りケージ（ｆａｖｏｕｒｉｔｅ  ｃａｇｅ）」と称される。呼び出しの割り当ての場合、最初に、その呼び出しがお気に入り呼び出しであるか否かを判断することが好ましい。この場合、お気に入り呼び出しの割り当てにおいては、できる限り、割り当てられていないお気に入り区域毎に１つのお気に入りケージを常にフリーに維持できるように、フリーのお気に入りケージの数が、未だ割り当てられていないお気に入り区域の数と比較される。お気に入りでない呼び出しの場合、できる限り、割り当てられていないお気に入りでない区域毎に１つのお気に入りでないケージを常にフリーに維持できるように、お気に入りでないケージの数が、未だ割り当てられていないお気に入りでない区域の数と比較される。
【００１３】
このように、異質のエレベータ構造にもかかわらず、各ユーザグループが均等に扱われ、各特定のユーザグループにおける待ち時間が最小限に抑えられる。しかしながら、割り当てられるエレベータケージの数が相当多い場合には、１つのユーザグループにおける乗客の増加発生率に対応することができる。
【００１４】
したがって、また、幾つかのエレベータケージを１つの区域に対して割り当てることができる。しかしながら、エレベータケージが何らかの理由で機能しなくなった場合には、エレベータがその割り当てられた区域のために利用できないと、ユーザグループのうちの１つが不利な条件に置かれる可能性がある。
【００１５】
そのような場合のため、好ましい実施形態においては、扱われていない区域よりもフリーのエレベータケージが少ないが、１つの区域が幾つかのエレベータによって扱われている場合、これらの幾つかの区域を扱うこれらのエレベータのエレベータケージのうちの１つが、更なる命令のためにブロックされる。このケージは、その後、その命令を処理した後にフリーとなり、扱われていない区域に対して割り当てることができる。
【００１６】
以下、添付図面に基づき、本発明の実施形態の実施例についてさらに詳細に説明する。
【発明を実施するための最良の形態】
【００１７】
（１．  概説）
（１．１  区域制御問題概論）
建物等（船舶も考えられる）における区域制御は、様々なグループのエレベータの乗客を互いに分離するために使用される。区域制御は、乗客のグループを互いに分離しなければならない建物等において使用される安全機能である。
【００１８】
例えば２つの乗客グループ、すなわちグループ１およびグループ２が存在する場合、区域制御された建物において、グループ１に属する乗客は、グループ２に属する乗客と一緒に移動することができない。
【００１９】
区域制御された建物等においては、全ての行先呼び出しが１つの区域に対して割り当てられる。乗客グループを分離するため、ビジー状態のエレベータは、エレベータが扱っている区域と異なる区域に対して割り当てられたいかなる呼び出しも受け入れることができない。例えば、エレベータＡが区域１のための呼び出しを扱っている場合を考える。また、この瞬間に、グループ２に属する一人の乗客が呼び出しを登録する場合を考える。区域分離により、グループ２の乗客は、自分の区域２内でのみ移動することができ、一方、グループ１の乗客は、自分の区域１内でのみ移動することができる。したがって、グループ２に属する乗客からのこの新たな呼び出しを、エレベータＡに割り当てることができない。
【００２０】
ここで与えられたエレベータ装置およびそのようなエレベータ装置に欠かせない制御方法の場合には、そのような区域制御を用いた都合の良い制御方法を行なうことができなければならない。第１のユーザグループの人が第２の区域を扱っているエレベータによって移動することができないように、１つの区域に対して割り当てられた個々のユーザグループを互いに効果的に分離しなければならない。
【００２１】
周知の人識別手段により、各ユーザグループを各区域に対して割り当てることができる。この目的のため、エレベータ装置は、様々な人識別手段を有することができる。一例は、キースイッチ、コードボタン、電子キー、チップカード、フィンガセンサ等である。例えばドア、ゲート、自動車等におけるロッキング技術の分野で知られるほぼ全ての技術を使用することができる。例えば、特定のユーザグループに属する人は、個人的なメカニカルキーまたは電子キーを用いて、あるいは、自分のパーソナルコードを入力して、移動命令のための呼び出しを、自分の区域内の行先階に登録することができる。このように、対応する制御方法に関しては、呼び出しを特定の区域に割り当てるため、呼び出し入力を用いて、人の識別を行なうことが好ましい。
【００２２】
（１．２  区域の変更）
区域制御された建物において、各エレベータは、実際の呼び出しを扱うことができ、あるいは、命令を有していない。エレベータが移動命令を全く有していない場合、それは「フリー」である。フリー状態において、エレベータは、任意の区域からの呼び出しを受け入れることができる。
【００２３】
エレベータが１つの区域内で呼び出しを扱っている場合、エレベータは、フリーになるまで、その区域を変更することができない。
【００２４】
２つの区域を伴う例が図１に示されている。
【００２５】
この場合、意味は、以下の通りである。
Ｒ→Ｚ１  区域１に割り当てられた呼び出し。
Ｚ１  区域１。
Ｋｎｊ  エレベータが命令を有していない。
ｆｒ  エレベータがフリー。
Ｒ→Ｚ２  区域２に割り当てられた呼び出し。
Ｚ２  区域２。
【００２６】
図１は、上記の場合を示している。
【００２７】
（２．お気に入りケージアルゴリズム）
異質のエレベータレイアウトまたは異質のエレベータ構造を有する建物における割り当ての問題を解決するため、ここでは、所謂お気に入りケージが使用される。
【００２８】
ここで与えられた問題および解決策を例示するため、以下、一例として、これらが実際に特定の建物で起こり得る態様で、エレベータ構造およびこれに関連付けられた幾つかの区域について説明する。これに関して提示された全ての例は、与えられた区域および構造に基づいている。序文の後、幾つかの実施例を用いて、実施形態の実施例にしたがって提案されたアルゴリズムについて説明する。
【００２９】
（２．１  エレベータ構造）
異質のエレベータ構造（エレベータレイアウト）の一実施例が図２に示されている。ここに概略的に示されたエレベータ装置は、ケージＡ、Ｂ、Ｃ、Ｄ、Ｅ、Ｆを有する６つのエレベータを備えている。正面玄関ＭＥが破線で示されている。ケージＡ、Ｂ、Ｃ、Ｄを有するエレベータは、正面玄関ＭＥから上方にのみ移動する。ここで与えられた実施例において、ケージＥ、Ｆを有するエレベータは、正面玄関ＭＥよりも下に位置する地階も扱う。したがって、エレベータケージＥ、Ｆだけが建物の全ての階を扱う。以下の実施例は、図２に示されるように、一例として、このエレベータ構造について言及する。
【００３０】
（２．２  区域）
ここに示される建物は、安全機能として区域制御が望ましい建物である。この目的のため、建物が、公共区域（例えば食事施設が設けられた階）と、生活区域とを別個に有する銀行の建物であると考える。図３から図５には、いずれの場合にも、建物に伴い（ｒｅｓｕｌｔ  ｆｒｏｍ）且つエレベータ装置の各ユーザグループがそれぞれ割り当てられる区域が灰色の帯で示されている。
【００３１】
（２．２．１  区域１：来客）
ここに示された実施例において、第１のユーザグループは、来客にかかわるものである。ここに示された実施例において、来客は、正面玄関と来客階とに対して出入りできるようになっている。来客階は、例えば、公然と出入りできる食事施設を有する階、あるいは、銀行の来客室を有する階であっても良い。図３には、区域１が参照符号Ｚ１で示されている。ここで、１つの灰色の帯は、正面玄関ＭＥにあり、１つの灰色の帯は、来客階にある。
【００３２】
この実施例の建物における更に２つのユーザグループは、居住者および銀行スタッフである。
【００３３】
来客は、以下の階、すなわち、正面玄関ＭＥと来客階とを居住者と共有している。来客は、階「正面玄関」だけを銀行従業員と共有している。
【００３４】
図３から分かるように、ここに示された実施例において、エレベータＡからＦは、来客の階すなわち区域Ｚ１を扱う。
【００３５】
（２．２．２  区域２：居住者）
建物の居住者は、当然、自分の住居が位置する階に出入りできなければならない。通常、建物のサブフロアには、地階領域や居住者の地下駐車場など、居住者に対して面会できる領域も存在する。
【００３６】
図４において、一例として参照符号Ｚ２で示される区域２は、居住者のための区域である。図示の実施例において、居住者のための階は、正面玄関と、来客階及びその上側の全ての階と、正面玄関よりも下側の幾つかの階である。居住者は、階「正面玄関」ＭＥおよび来客階を来客と共有する。居住者は、階「正面玄関」ＭＥだけを銀行従業員と共有する。
【００３７】
（２．２．３  区域３：銀行スタッフ）
図５に示される実施例において、銀行従業員のための階は、正面玄関ＭＥから来客階までの全ての階（ここには、来客階が含まれない）と、正面玄関ＭＥよりも下側の幾つかの階である。図５には、これらの階に伴う区域３がＺ３で特徴付けられている。したがって、銀行従業員は、階「正面玄関」ＭＥだけを来客および居住者と共有する。
【００３８】
（２．３  定義）
お気に入りケージアルゴリズムについて更に理解できるように、幾つかの表現について説明する。
【００３９】
（２．３．１  お気に入り区域）
区域は、それが全てのエレベータケージによっては到達することができない階を含んでいる場合、「お気に入り区域」である。前述した実施例においては、区域「居住者」Ｚ２および「銀行スタッフ」Ｚ３が、お気に入り区域である。
【００４０】
（２．３．２  お気に入りケージ（お気に入りエレベータ））
エレベータケージは、それが少なくとも１つのお気に入り区域の全ての階を扱うことができる場合、「お気に入りケージ」である。前述した実施例においては、エレベータケージＥ、Ｆが、お気に入りケージである。
【００４１】
（２．３．３  お気に入り呼び出し）
移動命令に対して割り当てられた呼び出しは、それがお気に入り区域に対して割り当てられている場合、お気に入り呼び出しである。この呼び出しは、例えば前述した周知の人識別手段によって行なうことができる。乗客が対応するキーまたはコードにより居住者として識別される場合、この乗客は、区域Ｚ２内にある行先階への移動命令を登録することができる。その後、対応する呼び出しが区域Ｚ２に対して割り当てられる。ここに示された実施例の場合、来客は、人識別子を必ずしも有している必要はない。これに対し、銀行従業員は、区域Ｚ３に対して割り当てられる呼び出しを入力するために、キー等を必要とする。
【００４２】
（２．３．４  割り当てられないお気に入り区域の数）
その時点で、あるいは、実際に、任意のエレベータまたはエレベータケージに対して割り当てられないお気に入り区域の数は、割り当てられないお気に入りケージの数と称される。その例が図６に示されている。
【００４３】
この場合には、エレベータケージＡ、Ｂ、Ｃ、Ｆがフリーである（この状態が図中に参照符号ｆｒで示されている）。エレベータＤ、Ｅは、移動命令によってビジー状態にある。エレベータＤは、来客の移動命令を扱っており、したがって、区域Ｚ１に対して割り当てられる。エレベータＥは、居住者の移動命令を扱っており、したがって、区域Ｚ２に対して割り当てられる。
【００４４】
この実施例において、割り当てられないお気に入り区域の数は１つである。区域Ｚ３は、お気に入り区域であるが、いずれのエレベータケージに対しても割り当てられていない。
【００４５】
（２．３．５  割り当てられないお気に入りでない区域の数）
お気に入り区域ではない全ての区域は、ここでは、お気に入りでない区域と称される。実際に或はその時点でいずれのエレベータに対しても割り当てられないお気に入りでない区域の数は、割り当てられないお気に入りでない区域の数と称される。図４の実施例において、割り当てられないお気に入りでない区域の数は０である。我々の実施例において唯一のお気に入りでない区域は、区域Ｚ１である。１つのエレベータケージ、すなわち、エレベータケージＤが、区域Ｚ１に対して割り当てられている。
【００４６】
（２．３．６  お気に入りケージを十分に利用可能）
状態「お気に入りケージを十分に利用可能」は、フリーのお気に入りケージの数が、割り当てられないお気に入り区域の数よりも多い場合あるいは等しい場合に満たされる。
【００４７】
この状態またはこの表現は、呼び出しがフリーのエレベータケージに対して割り当てられているか否かを決定すべき時に有益である。
【００４８】
図７の実施例において、エレベータケージＡからＣはフリーである。エレベータケージＤは区域Ｚ１に対して割り当てられており、エレベータケージＥ、Ｆは区域Ｚ２に対して割り当てられている。この実施例において、エレベータケージは不十分に利用できる。２つのお気に入りＥ、Ｆはビジー状態にある。お気に入りケージは、お気に入り区域Ｚ３のために、もはや残されてはいない。
【００４９】
（２．３．７  お気に入りでないケージを十分に利用可能）
状態「お気に入りでないケージを十分に利用可能」は、フリーのお気に入りでないケージの数が、割り当てられないお気に入りでない区域の数よりも多い場合あるいは等しい場合に満たされる。
【００５０】
この表現は、新たな呼び出しがフリーのエレベータケージに対して成されたか否かを決定すべき時に有益である。
【００５１】
（２．４  なぜアルゴリズム？）
呼び出しがユーザによって入力される場合、呼び出しは、即座に、１つの区域に対して割り当てられる。その後、周知の割り当てアルゴリズム（この目的のため、例えば欧州特許第０３０１１７８号明細書を参照）により、エレベータ制御装置は、この呼び出しを扱うことができる最良のエレベータケージを選択する。この選択は、例えば費用を最小限に抑えるように行なうことができ、あるいは、考えられる最も迅速な満杯を実現できるアルゴリズムおよび／または待ち時間を短縮できるアルゴリズムにしたがって行なうことができる。最良なエレベータケージを選択する場合、その時点では、ほんの僅かの制限が存在する。すなわち、エレベータケージは、出発の階だけでなく、行先の階も扱うことができなければならない。エレベータケージの区域状態は、「フリー」ｆｒでなければならないか、あるいは、その時点でエレベータケージに割り当てられる区域は、呼び出しに対して割り当てられた区域と一致していなければならない。
【００５２】
その場合に行なうことができることが、図８ａから図８ｃに示されている。
【００５３】
図８ａには、一例として、出発状態が示されている。この状態は、図６の状態と一致している。すなわち、エレベータケージＤが区域Ｚ１に対して割り当てられ、エレベータケージＥが区域Ｚ２に対して割り当てられている。一方、残りのエレベータケージはフリーｆｒである。この状態において、区域Ｚ２には、図８ｂに示されるように、新たな呼び出しｎＲＺ２が存在する。この新たな呼び出しｎＲＺ２は、居住者の階と居住者に面会できる地階との間での移動命令の要求である。
【００５４】
エレベータ制御装置は、例えば、最良のエレベータケージとして、エレベータケージＦを選択する。
【００５５】
それによって生じる割り当て状態が、図８ｃに示されている。この状態は、図７の状態に対応している。この場合、新たに割り当てられた呼び出しが、灰色で強調されている。
【００５６】
この時点では、特別のアルゴリズムが無くても、以下の状態を生じることができる。
【００５７】
ここで、正面玄関と銀行スタッフにだけ面会できる地階との間で行き来したい銀行従業員により、新たな呼び出しｎＲＺ３が成された場合を考える。この新たな呼び出しは、区域Ｚ３に属し、地階のうちの１つを含んでいる。
【００５８】
図８ｅに示されるように、この目的のために利用できるエレベータケージは存在しない。フリーのエレベータケージＡからＣは地階を扱うことができず、また、地階を扱うことができる２つのお気に入りケージＥ、Ｆは、他の区域Ｚ２に対して割り当てられており、したがって、区域Ｚ３に対して割り当てることができない。
【００５９】
したがって、銀行従業員は、２つのエレベータケージＥ、Ｆのうちの一方が再びフリーとなるまで待たなければならない。また、ここで、区域Ｚ２からの新たな行先呼び出しが再び入力される可能性も常にあるため、特定の状況においては、この待ち状態が非常に長い間続く可能性もある。
【００６０】
そのような問題を解決するため、「フリーのケージに対する割り当て」アルゴリズムが提案される。このアルゴリズムは、状況を分析して、区域Ｚ２に属する呼び出しのエレベータ割り当てを、エレベータケージＦへ移すのではなく、エレベータケージＥへと移す。
【００６１】
アルゴリズムが実行された後、最終的に呼び出しを割り当てることができ、ユーザの呼び出しに対して割り当てられたエレベータケージをユーザに知らせるため、情報をユーザに与えることができる。
【００６２】
（２．５  「フリーのケージに対する割り当て」アルゴリズム）
「フリーのケージに対する割り当て」アルゴリズムが、フローチャートの形で、図９に示されている。このフローチャートは、以下の凡例を考慮すれば、一目瞭然である。
【００６３】
Ｒ＝ｆ  呼び出しがお気に入り呼び出しである。ここでは、呼び出しがお気に入り呼び出しであるか否かが判断される。
【００６４】
ｇｆＫ  お気に入りケージを十分に利用可能か？この状態は、前述の定義に基づいて判断される。この場合、問い合わせが（問い合わせも又）成され、フリーのお気に入りケージに対して新たな呼び出しの割り当てが行なわれた後、お気に入りケージをまだ十分に利用できるか否かが判断される。
【００６５】
ｔｂｆＫ  最良のお気に入りケージを利用する。フリーのお気に入りケージの数からの選択は、慣例的な制御アルゴリズムと共に使用される基準にしたがって行なわれる。
【００６６】
ａｆＫｓＺ  他のお気に入りケージが同じ区域内で移動する。ここでは、新たな呼び出しが属する同じ区域に対して割り当てられるお気に入りケージが既に存在するか否かが判断される。
【００６７】
ｇｎＦＫ  お気に入りでないケージが十分に利用可能か？問い合わせを用いて、フリーのお気に入りでないケージに対して新たな呼び出しの割り当てが行なわれた後、お気に入りでないケージをまだ十分に利用できるか否かを判断することが好ましい。
【００６８】
Ｒ→ｎｆＫ  お気に入りでないケージへと呼び出しを移すことができる。
【００６９】
ａｎｆＫｓＺ  他のお気に入りでないケージが同じ区域内で移動する。
【００７０】
ｔｂｆＫｓＺ  この区域内で移動する最良のお気に入りケージを利用する。
【００７１】
ｔｂｎｆＫ  最良のお気に入りでないケージを利用する。
【００７２】
Ｒ→ｎｆＫｓＺ  この区域内で移動するお気に入りでないケージへと呼び出しを移すことができる。
【００７３】
ｔｂｎｆＫｓＺ  この区域内で移動する最良のお気に入りでないケージを利用する。
【００７４】
ｎｃ  変更なし
【００７５】
（２．５．１  図８ａから図８ｅの実施例においてアルゴリズムは何をするのか？）
この目的のため、図９のアルゴリズムから、図１０に示される判断の選択肢を参照する。１００において、状態「呼び出しがお気に入り呼び出しである」が「真」であることが分かった。図８ｂに示される呼び出しは、お気に入り区域Ｚ２に属し、したがって、お気に入り呼び出しである。
【００７６】
呼び出し（我々の実施例では、上流側の慣例的な制御アルゴリズムにより生じた）がエレベータケージＦにおいて成された場合、お気に入り区域Ｚ３での呼び出しのための十分なエレベータケージは、もはや利用することができない。したがって、参照符号１０２で示されるように、状態「お気に入りケージを十分に利用可能」ｇｆＫは満たされない。
【００７７】
一方、お気に入りケージＥは、区域Ｚ２内で既に移動している。したがって、参照符号１０４で示されるように、状態「他のお気に入りケージが同じ区域内で移動している」ａｆＫｓＺが満たされる。
【００７８】
依然として、３つのフリーのお気に入りでないケージが存在する。したがって、状態「お気に入りでないケージが十分に利用可能」ｇｎｆｋが満たされる。しかしながら、図８ｂの新たな呼び出しｎＲＺ２を、任意のお気に入りでないケージに対して割り当てることができない。これは、お気に入りでないケージＡからＤのいずれも、１０６で示される判断を成す新たな呼び出しｎＲＺ２に含まれる地階を扱うことができないためである。
【００７９】
したがって、アルゴリズムは、命令文ｔｂｆＫｓＺを引き起こす。すなわち、参照符号１０８で示されるように、この区域で移動する最良のお気に入りでないケージを利用しなければならない。これは、正しい判断である。なぜなら、現在の新たな呼び出しｎＲＺ２がエレベータケージＥに対して割り当てられ、したがって、お気に入り区域Ｚ３のためにお気に入りケージＦがフリーに維持されるからである。待ち時間を必要以上にとることなく、図８ｄの新たな呼び出しｎＲＺ３を割り当てることができる。
【００８０】
（２．５．２  更なる実施例）
図１１ａは、起こり得る更なる状態を示している。図１１ａの場合、エレベータケージＡ、Ｂ、Ｄ、Ｅは、動作しておらず、参照符号ｏｏｓ（休止中（ｏｕｔ  ｏｆ  ｓｅｒｖｉｃｅ））で示されている。エレベータケージＣは区域Ｚ２に対して割り当てられており、エレベータケージＦはフリーｆｒである。ここで、図１１ｂに示されるように、正面玄関ＭＥと上側の居住者階との間での移動命令を要求する新たな呼び出しＮＲＺ２が区域Ｚ２において入力された場合を考える。一例として、そのような命令も、お気に入りでないケージＡ、Ｂによって扱うことができない。従来のエレベータ制御装置は、例えばエレベータケージＦを最良のエレベータケージとして認識するため、そのような新たな呼び出しＮＲＺ２をエレベータケージＦに対して割り当てる。
【００８１】
したがって、アルゴリズムが無くても、エレベータケージＣ、Ｆの両方が区域Ｚ２に対して割り当てられ且つ残りのエレベータケージが動作しないｏｏｓといった図１１ｃに示される状態が存在する。
【００８２】
この時、区域Ｚ３に対して割り当てられる考えられる新たな呼び出し（例えば、図８ｄにおける呼び出しｎＲＺ３を参照）を、特にこの呼び出しがお気に入りケージによってしか扱うことができない場合に、割り当てすることができないといった問題が生じる。
【００８３】
この場合に図９に示されるアルゴリズムが行なうことが、図１２に示されている。
【００８４】
１１０で示されるように、アルゴリズムは、呼び出しが区域Ｚ２に対して割り当てられているためお気に入り呼び出しであると判断する。判断１１２は、１つのお気に入りケージだけが残されているが、２つのお気に入り区域が存在するという事実に基づいている。呼び出しがエレベータケージＦに対して割り当てられると、十分なお気に入りケージをもはや利用することができない。これは、判断１１２を引き起こす。
【００８５】
１１４では、図１１ａに示される状態において、お気に入りでない区域Ｚ１のためにケージが残されていない点に注目される。これは、１つのお気に入りでないケージＣだけが区域Ｚ２内で移動し且つ他の全てのお気に入りでないケージが利用不可能であるからである。これは、お気に入りでないケージを十分に利用できないという判断を引き起こす。
【００８６】
お気に入りでないケージＣは区域Ｚ２内で移動する。したがって、１１６で示されるように、同じ区域内で移動する他のお気に入りでないケージが依然として存在する。
【００８７】
新たな呼び出しはＮＲＺ２、正面玄関ＭＥの階およびその上側の階だけに関するものであるため、この新たな呼び出しを、同じ区域内で移動するお気に入りでないケージに対して割り当てることができる。同じ区域内で移動するお気に入りでないケージＣは、正面玄関よりも上側に位置する全ての階を扱うことができる。対応する判断が１１８で示されている。
【００８８】
したがって、アルゴリズムは、１２０において、同じ区域内で移動する最良のお気に入りでないケージを利用するための命令ｔｂｎｆＫｓＺを引き起こす。これは、図１１ａの実施例では、ケージＣである。
【００８９】
アルゴリズムに基づいて行なわれる対応する割り当てが、図１３に示されている。アルゴリズムは、上流側のエレベータアルゴリズムによって選択されたエレベータケージＦからの呼び出しＮＲＺ２の呼び出し割り当てを、エレベータケージＣへ移す。アルゴリズムは、区域Ｚ３に属する更なる呼び出しのために、エレベータケージＦをフリーに維持する。したがって、全ての場合において、区域Ｚ３に属する呼び出しを扱うことができる。
【００９０】
注：しかしながら、新たな呼び出しを区域Ｚ２またはエレベータケージＣへと移動させることができない場合、アルゴリズムは、「変更なし」ｎｃという判断を引き起こす。その呼び出しは、全く移されない。その後、別の周知のアルゴリズムにしたがって、その呼び出しに対してエレベータケージＦが割り当てられる。
【００９１】
（２．５．３  実施例１）
図１４を参照する。図１４から分かるように、この場合も、６つのエレベータＡからＦを伴う前述した実施例（図２から図５）に係るエレベータレイアウトが示されている。エレベータ群の中には、Ｅ、Ｆで示される２つのお気に入りケージが存在する。以下のように定義された区域が存在する。
区域Ｚ１  お気に入りでない区域。
区域Ｚ２  ケージＥ、Ｆ用のお気に入り区域。
区域Ｚ３  ケージＥ、Ｆ用のお気に入り区域。
【００９２】
ケージＥは、区域Ｚ２に割り当てられても良い。ケージＦはフリーであっても良い。新たな呼び出しが区域Ｚ１に対して割り当てられた場合、コスト計算アルゴリズムは、例えば、この呼び出しのために、ケージＦを選択する。しかしながら、ケージＦが区域Ｚ１に対して割り当てられると、区域Ｚ３のためのケージが全く残らない。
【００９３】
図９のアルゴリズムは、この問題を防止する。図９のフローチャートから簡単に分かるように、この実施例において、アルゴリズムは、区域Ｚ１に関するこの新たな呼び出しのために、この区域Ｚ１で既に移動する最良のお気に入りでないケージを利用することを決定する。
【００９４】
（２．５．４  実施例２）
ここでは、図１５を参照する。図１５から分かるように、この場合も、６つのエレベータＡからＦを伴う前述した実施例（図２から図５）に係るエレベータレイアウトが示されている。エレベータ群の中には、Ｅ、Ｆで示される２つのエレベータケージが存在する。以下のように定義された区域が存在する。
区域Ｚ１  お気に入りでない区域。
区域Ｚ２  ケージＥ、Ｆ用のお気に入り区域。
区域Ｚ３  ケージＥ、Ｆ用のお気に入り区域。
【００９５】
この実施例においては、ケージＡが区域Ｚ１に対して割り当てられ、ケージＥが区域Ｚ２に対して割り当てられているとする。残りのケージはフリーｆｒであっても良い。
【００９６】
ここで、ケージＦが区域Ｚ１に対して割り当てられると、区域Ｚ３のためのお気に入りケージが全く残らなくなる。この問題を避けるため、アルゴリズムは、図９のフローチャートから簡単に分かるように、この新たな呼び出しのために、最良のお気に入りでないケージを利用しなければならないと判断する。
【００９７】
（２．５．５  実施例３）
実施例３が図１６に示されている。ここでも、６つのエレベータが存在するが、そのうちの３つがお気に入りでないケージＡからＣであり、残る３つがお気に入りケージＤからＦである。定義された区域として、以下のように仮定する。
区域Ｚ１  お気に入りでない区域。
区域Ｚ２  お気に入りでない区域。
区域Ｚ３  ケージＤからＦ用のお気に入り区域。
区域Ｚ４  ケージＤからＦ用のお気に入り区域。
【００９８】
図１６に係る実施例の場合には、ケージＡ、Ｂが区域Ｚ１に対して割り当てられ、ケージＤ、Ｅが区域Ｚ３に対して割り当てられる。ケージＣ、Ｆはフリーであっても良い。ここで、区域Ｚ３に対して割り当てられる新たな呼び出しが存在する。純コスト計算アルゴリズムは、この新たな呼び出しを例えばエレベータケージＣに割り当てる。
【００９９】
しかしながら、エレベータケージが区域Ｚ３に対して割り当てられると、区域Ｚ２のためのエレベータケージが全く残らなくなる。
【０１００】
アルゴリズムの判断は、前述した実施例１および実施例２の場合と同様に、図９のフローチャートから簡単に得られる。このフローチャートから分かるように、アルゴリズムは、前述した問題を回避する。アルゴリズムは、区域Ｚ３に対して割り当てられたこの新たな呼び出しのために、区域Ｚ３内で既に移動する最良のお気に入りケージを利用しなければならないと判断する。区域Ｚ４のためにケージがもはや残っていないため、アルゴリズムは、ケージＦを利用することができない。
【０１０１】
（２．５．６  実施例４）
この実施例４では、図１７を参照する。ここでは、図１６と同様のエレベータレイアウトを前提とする。したがって、エレベータ群中には、Ｄ、Ｅ、Ｆで示される３つのお気に入りケージが存在する。これらのお気に入りケージのうちの２つは、区域Ｚ２に対して割り当てられている。ここでは、全体として、以下の区域が定義される。
区域Ｚ１  お気に入りでない区域。
区域Ｚ２  ケージＤからＦ用のお気に入り区域。
区域Ｚ３  ケージＤからＦ用のお気に入り区域。
【０１０２】
エレベータケージＣ、Ｆはフリーであっても良い。新たな呼び出しが区域Ｚ２に対して割り当てられる場合、コスト計算アルゴリズムは、この呼び出しのために、例えばケージＦを選択する。
【０１０３】
しかしながら、ケージＦが区域Ｚ２に対して割り当てられると、区域Ｚ３のためのお気に入りケージが全く残らなくなる。
【０１０４】
この場合にここで示されたアルゴリズムが行なうことは、図９のフローチャートから直ぐに分かる。区域Ｚ３のためにお気に入りケージをフリーに維持するため、可能である場合には、この呼び出しをケージＣに置くことを試みる。これが可能でない場合、区域Ｚ２で移動する最良のお気に入りケージが呼び出しを取得しなければならない。
【０１０５】
（２．６  「不足している区域用のケージ」アルゴリズム）
ここで、図１８に示される状態を参照する。ここでも、一例として、図２に示されるようなエレベータ構造を想定する。これに設けられる建物の各階の区画は、図３から図５に関して前述したように行なわれる。図示の状態において、ケージＡ、Ｂ、Ｄ、Ｆは、区域Ｚ３を扱う。ケージＣは区域Ｚ１に割り当てられ、ケージＥは区域Ｚ２に割り当てられる。１つのケージだけが区域Ｚ１内で移動する。他の全てのケージは、他の区域で移動する。フリーのケージは無い。
【０１０６】
ここで、図１９に示されるように、区域Ｚ１内で移動するエレベータケージが利用できないことを更に考える。これは、「動作していない」ことを表わす参照符号ｏｏｓで示されている。すなわち、区域Ｚ１が「失われている」。今後は、区域Ｚ１に割り当てられた呼び出しについて登録したい人を、もはや扱うことができない。
【０１０７】
この時点で、「不足している区域用のケージ」と称されるアルゴリズムが働き始める。
【０１０８】
すなわち、図２０および図２１には、その動作形態が示されている。図２０から分かるように、このアルゴリズムは、移動している（すなわち、フリーではない）全てのケージから、もはや呼び出しを受けない特定のケージを決定する。このケージ（例えばケージＤ）は、新たな呼び出しに対してブロックされる。ここでは、そのような状態にあるケージを、「ジャンパーケージ」ＳＫと称する。
【０１０９】
図２１に示されるように、ジャンパーケージは、既存の全ての呼び出しを処理すると直ちに、フリーとなり、その後は、失われた区域のための呼び出しを処理することができる。図２１の右側に示された最終的な状態においては、区域Ｚ１のためにケージＤを使用することができる。この状態で、「不足している区域用のケージ」アルゴリズムが再び作業を停止する。
【０１１０】
前述した形態で複数の区域が「失われる」と、このアルゴリズムは、失われた各区域毎に、ジャンパーケージを選択する。このジャンパーケージは、その後、割り当てられた区域からのその命令を処理した後、フリー状態へとジャンプする。
【０１１１】
「不足している区域用のケージ」アルゴリズムによって、２つのリストが維持される。すなわち、これらは、一方が、新たな命令に対してブロックされた全てのお気に入りケージ（お気に入りジャンパーケージ）のためのリストであり、他方が、新たな命令に対してブロックされた全てのお気に入りでないケージ（お気に入りでないジャンパーケージ）のためのリストである。
【０１１２】
「不足している区域用のケージ」アルゴリズムの一例が、図２２、２３、２４に示されている。この場合、図２２は、アルゴリズムの主要部分を示しており、図２３は、お気に入りでないジャンパーケージのリストを維持するプロセスを示しており、図２４は、お気に入りジャンパーケージのリストを維持するプロセスを示している。
【０１１３】
図２２から図２４に示されたフローチャートは、以下に列挙された凡例を考慮すれば、一目瞭然である。
【０１１４】
ここに示された「不足している区域用のケージ」アルゴリズムは、呼び出しが１つのケージに対して最終的に割り当てられる度に、その前に呼び出される。
【０１１５】
図２２および図２３のフローチャートにおける凡例は以下の通りである。
【０１１６】
ＬＳｎｆＫ  お気に入りでないジャンパーケージのリストを維持する。
【０１１７】
ＬＳｆＫ  お気に入りジャンパーケージのリストを維持する。
【０１１８】
ＫｅＬＳｎｆＫ  ケージがお気に入りでないジャンパーケージのリスト中にある。
【０１１９】
ＫｅＬＳｆＫ  ケージがお気に入りジャンパーケージのリスト中にある。
【０１２０】
ｎｃ  変更なし。
【０１２１】
ｔｂｕＫｓＺ  この区域で移動する最良の非ジャンパーケージを利用する（すなわち、アルゴリズムは、新たな呼び出し割り当てに対してジャンパーケージをブロックする）。
【０１２２】
ｍｎｆＺ  不足しているお気に入りでない区域。
【０１２３】
ｒＬＳｎｆＫ  お気に入りでないジャンパーケージのリストをリセットする（新たな呼び出し割り当てに関してブロックされるこれらのお気に入りでないケージのリストが０に設定される。）。
【０１２４】
Ｋ＝ｆｒ  ケージがフリーである。
【０１２５】
Ｋ＝ｎｆ  ケージがお気に入りでないケージである。
【０１２６】
＃ｍｎｆｚ＞＃ＳｎｆＫ  不足しているお気に入りでない区域の数が、お気に入りでないジャンパーケージの数よりも多い。
【０１２７】
ＫｓＺ＞１  複数のケージがこの区域で移動する。
【０１２８】
Ｋ→ＬＳｎｆＫ  お気に入りでないジャンパーケージのリストにケージを加える。
【０１２９】
ｎａ  実行無し。
【０１３０】
ｍｆＺ  不足しているお気に入り区域。
【０１３１】
ｒＬＳｆＫ  お気に入りジャンパーケージのリストをリセットする（新たな呼び出し割り当てに関してブロックされたこれらのケージのリストが０に設定される）。
【０１３２】
Ｋ＝ｆ  ケージがお気に入りケージである。
【０１３３】
＃ｍｆｚ＞＃ＳｆＫ  不足しているお気に入り区域の数が、お気に入りジャンパーケージの数よりも多い。
【０１３４】
Ｋ→ＬＳｆＫ  お気に入りジャンパーケージのリストにケージを加える。
【０１３５】
（２．６．１  実施例）
一例として出発状態を示す図２５を参照する。この場合も、エレベータ構造および区域分割は、図２から図５で説明した場合と同様の場合を想定する。したがって、以下のように定義された区域が存在する。
区域Ｚ１  お気に入りでない区域。
区域Ｚ２  ケージＥ、Ｆ用のお気に入り区域。
区域Ｚ３  ケージＥ、Ｆ用のお気に入り区域。
【０１３６】
これらの区域に対する各エレベータケージＡからＦの割り当ては、図２５から明らかである。
【０１３７】
ここで、ケージＣは、突然に利用不可能となる。これは、図２６および図２７に「ＵＡ」（利用不可能）で示されている。更にそこから生じる図２６における状態の場合、区域Ｚ１に対して割り当てられる今後の乗客及び待っている乗客を、もはや搬送することができない。
【０１３８】
ここで、新たな呼び出しが入力される。この呼び出しは、区域Ｚ３に対して割り当てられても良い。コスト計算アルゴリズムは、例えば、この呼び出しにとってエレベータケージＤが最良であると判断する。
【０１３９】
この場合に「不足している区域用のケージ」アルゴリズムが行なうことは、図２２から図２４のフローチャートから直ちに明らかである。このアルゴリズムは、呼び出しをケージＤに割り当てず、ケージＤをジャンパーケージとして選択する。ここで、呼び出しは、既に区域Ｚ３で移動する他のケージのうちの最良のケージに対して割り当てられる。
【０１４０】
後に、図２７に示されるように、ケージＤはフリーｆｒとなる。ここでは、ケージＤは、区域Ｚ１に対する割り当てのためにフリーとなる。
【０１４１】
なお、ここで、ケージＤは、実際には、前述した「フリーケージに対する割り当て」アルゴリズムによって、フリーに維持される。
【図面の簡単な説明】
【０１４２】
【図１】エレベータ装置のための区域制御を説明するための図を示している。
【図２】幾つかのエレベータを有するエレベータ装置の概略図および異質のエレベータレイアウトを示している。
【図３】図２のエレベータ装置の第１の区域の概略図を示している。
【図４】図２のエレベータ装置の第２の区域の概略図を示している。
【図５】図２のエレベータ装置の第３の区域の概略図を示している。
【図６】図１のエレベータ装置に対する呼び出し割り当ての一例を示している。
【図７】図６の状態から続く従来の制御によって達成される呼び出し割り当ての一例を示している。
【図８ａ】図６に示される状態から出発する、様々な呼び出し割り当て及び新たな呼び出しの図を示している。
【図８ｂ】図６に示される状態から出発する、様々な呼び出し割り当て及び新たな呼び出しの図を示している。
【図８ｃ】図６に示される状態から出発する、様々な呼び出し割り当て及び新たな呼び出しの図を示している。
【図８ｄ】図６に示される状態から出発する、様々な呼び出し割り当て及び新たな呼び出しの図を示している。
【図８ｅ】図６に示される状態から出発する、様々な呼び出し割り当て及び新たな呼び出しの図を示している。
【図９】図２から図５に一例として示されるものと同様の、エレベータ装置の制御アルゴリズムのフローチャートを示している。
【図１０】注釈付きの図９のフローチャートの一部を示している。
【図１１ａ】図２のエレベータ装置の場合の新たな呼び出し及び呼び出し割り当ての様々な例を示しており、図１１ａは、出発状態の一例を示している。
【図１１ｂ】図２のエレベータ装置の場合の新たな呼び出し及び呼び出し割り当ての様々な例を示しており、図１１ｂは、図１１ａに示された状態の場合の新たな呼び出しを示している。
【図１１ｃ】図２のエレベータ装置の場合の新たな呼び出し及び呼び出し割り当ての様々な例を示しており、図１１ｃは、従来の制御によって得られる呼び出し割り当てを示している。
【図１２】図９に示される制御アルゴリズムが呼び出し割り当てを行なう方法を例示するための注釈付きの図９のフローチャートの一部を示している。
【図１３】図１１ａに係る状態から出発する、図９に示されるアルゴリズムによって得られる呼び出し割り当ての最終的な状態の例を示している。
【図１４】図９に係る制御アルゴリズムの機能を説明するための図２に係るエレベータ装置における呼び出し割り当て状態の更なる例を示している。
【図１５】図９に係る制御アルゴリズムの機能を説明するための図２に係るエレベータ装置における呼び出し割り当て状態の更なる例を示している。
【図１６】図９に係る制御アルゴリズムの機能を説明するための図２に係るエレベータ装置における呼び出し割り当て状態の更なる例を示している。
【図１７】図９に係る制御アルゴリズムの機能を説明するための図２に係るエレベータ装置における呼び出し割り当て状態の更なる例を示している。
【図１８】問題のある状態を説明する目的で、フリーのエレベータケージが無い呼び出し割り当ての一例を示している。
【図１９】問題のある状態を説明する目的で、フリーのエレベータケージが無い呼び出し割り当ての一例を示している。
【図２０】この問題に対する解決策を例示する目的で、図１８および図１９に対応する呼び出し割り当てを示している。
【図２１】この問題に対する解決策を例示する目的で、図１８および図１９に対応する呼び出し割り当てを示している。
【図２２】図１８および図１９に示された問題の解決のためのアルゴリズムのフローチャートを示している。
【図２３】図１８および図１９に示された問題の解決のためのアルゴリズムのフローチャートを示している。
【図２４】図１８および図１９に示された問題の解決のためのアルゴリズムのフローチャートを示している。
【図２５】図２２から図２４に係るアルゴリズムの機能を説明するため、一例として様々な呼び出し状態の図を示している。
【図２６】図２２から図２４に係るアルゴリズムの機能を説明するため、一例として様々な呼び出し状態の図を示している。
【図２７】図２２から図２４に係るアルゴリズムの機能を説明するため、一例として様々な呼び出し状態の図を示している。
【符号の説明】
【０１４３】
Ａ、Ｂ、Ｃ、Ｄ、Ｅ、Ｆ  エレベータケージ
Ｚ１、Ｚ２、Ｚ３  区域
ｆｒ  フリーのエレベータケージ
ｎＲＺ２、ＮＲＺ２  新たな呼び出し
ＭＥ  正面玄関
ｏｏｓ  動作していないエレベータ
ＳＫ  ジャンパーケージ
ＵＡ  利用不可能
１１０、１１２、１１４、１１６、１１８、１２０  判断
【図１】
2004277178.tif 000003
【図２】
2004277178.tif 000004
【図３】
2004277178.tif 000005
【図４】
2004277178.tif 000006
【図５】
2004277178.tif 000007
【図６】
2004277178.tif 000008
【図７】
2004277178.tif 000009
【図８ａ】
2004277178.tif 000010
【図８ｂ】
2004277178.tif 000011
【図８ｃ】
2004277178.tif 000012
【図８ｄ】
2004277178.tif 000013
【図８ｅ】
2004277178.tif 000014
【図９】
2004277178.tif 000015
【図１０】
2004277178.tif 000016
【図１１ａ】
2004277178.tif 000017
【図１１ｂ】
2004277178.tif 000018
【図１１ｃ】
2004277178.tif 000019
【図１２】
2004277178.tif 000020
【図１３】
2004277178.tif 000021
【図１４】
2004277178.tif 000022
【図１５】
2004277178.tif 000023
【図１６】
2004277178.tif 000024
【図１７】
2004277178.tif 000025
【図１８】
2004277178.tif 000026
【図１９】
2004277178.tif 000027
【図２０】
2004277178.tif 000028
【図２１】
2004277178.tif 000029
【図２２】
2004277178.tif 000030
【図２３】
2004277178.tif 000031
【図２４】
2004277178.tif 000032
【図２５】
2004277178.tif 000033
【図２６】
2004277178.tif 000034
【図２７】
2004277178.tif 000035
【外国語明細書】
2004277178.tif 000036
2004277178.tif 000037
2004277178.tif 000038
2004277178.tif 000039
2004277178.tif 000040
2004277178.tif 000041
2004277178.tif 000042
2004277178.tif 000043
2004277178.tif 000044
2004277178.tif 000045
2004277178.tif 000046
2004277178.tif 000047
2004277178.tif 000048
2004277178.tif 000049
2004277178.tif 000050
2004277178.tif 000051
2004277178.tif 000052
2004277178.tif 000053
2004277178.tif 000054
2004277178.tif 000055
2004277178.tif 000056
2004277178.tif 000057
2004277178.tif 000058
2004277178.tif 000059
2004277178.tif 000060
2004277178.tif 000061
2004277178.tif 000062
2004277178.tif 000063
2004277178.tif 000064
2004277178.tif 000065
2004277178.tif 000066
2004277178.tif 000067
2004277178.tif 000068
2004277178.tif 000069
2004277178.tif 000070
2004277178.tif 000071
2004277178.tif 000072
2004277178.tif 000073
2004277178.tif 000074
2004277178.tif 000075
2004277178.tif 000076
2004277178.tif 000077
2004277178.tif 000078
2004277178.tif 000079
2004277178.tif 000080
2004277178.tif 000081
2004277178.tif 000082
2004277178.tif 000083
2004277178.tif 000084
2004277178.tif 000085
2004277178.tif 000086
2004277178.tif 000087
2004277178.tif 000088
2004277178.tif 000089
2004277178.tif 000090
2004277178.tif 000091
2004277178.tif 000092
2004277178.tif 000093
2004277178.tif 000094
2004277178.tif 000095